(57)【要約】本発明は、給気手段（６）を有する給気本体（１）と、この給気本体（１）に一体的に接続すると共に、弁支持体（１４）の先端部に設けられたノズル（１５）の流出孔（１５ａ）を封止又は開放するように弁支持体（１４）に設けられた制御弁（１２）及びノズルに噴射孔（１６ａ）を有する噴霧口部材（１６）を備えた噴射ヘッド（２）と、該噴射ヘッド（２）に外嵌合するカバー体（３）と、駆動用操作手段（４）とから成り、駆動用操作手段（４）を操作すると、気体と液体が前記噴射孔（１６ａ）で合流する携帯型噴霧装置であって、カバー体（３）は第１操作部材であり、この第１操作部材の操作に基づき、該カバー体（３）と制御弁（１２）に設けた動力変換部を介して前記制御弁（１２）が付勢手段（１７）の付勢力により後退し、かつノズル（１５）に対する封止状態が解かれることを条件として、第２の操作部材としての駆動用操作手段（４）を操作する携帯型噴霧装置である。
2017064743.tif 000002
【特許請求の範囲】
【請求項１】
給気手段（６）を有する給気本体（１）と、この給気本体に一体的に接続すると共に、弁支持体（１４）の先端部に設けられたノズル（１５）の流出孔を封止又は開放するように前記弁支持体に設けられた制御弁（１２）及び前記ノズルに噴射孔を有する噴霧口部材（１６）を備えた噴射ヘッド（２）と、前記噴射ヘッドに外嵌合するカバー体（３）と、前記噴射ヘッド又は前記給気本体のいずれかに設けられた駆動用操作手段（４）とから成り、前記駆動用操作手段を操作すると、前記給気手段から供給される気体と前記噴射ヘッドに設けられた貯蔵タンクから供給される液体が前記噴射孔で合流する携帯型噴霧装置であって、  前記カバー体（３）は第１操作部材であり、この第１操作部材の操作に基づき、該カバー体（３）と前記制御弁（１２）に設けた動力変換部を介して前記制御弁（１２）が付勢手段（１７）の付勢力により後退し、かつ前記ノズル（１５）に対する封止状態が解かれることを条件として、第２の操作部材としての前記駆動用操作手段を操作する携帯型噴霧装置。
【請求項２】
請求項１に於いて、カバー体（３）の内壁は、動力変換部の一部を構成する押圧部（３１）を有することを特徴とする携帯型噴霧装置。
【請求項３】
請求項１又は請求項２に於いて、動力変換部は、カバー体（３）の周壁部（３ａ）の下端部の内面から内側に突出する押圧部（３１）と、該押圧部に圧接する状態で摺接する制御弁（１２）の後端部（１２ｂ）であることを特徴とする携帯型噴霧装置。
【請求項４】
請求項１に於いて、カバー体（３）を噴射ヘッド（２）に完全に嵌め込んだとき、前記カバー体（３）の上壁の内面又は内面に設けた小突起のいずれかにより、貯蔵タンク（２０）の吸気部（１９）が密閉され、一方、カバー体（３）を持ち上げるようにスライドさせると、貯蔵タンク（２０）の吸気部（１９）が開放することを特徴とする携帯型噴霧装置。
【請求項５】
請求項１に於いて、カバー体（３）の上壁部に形成した嵌合孔は、該カバー体（３）を噴射ヘッド（２）に完全に嵌め込んだとき、貯蔵タンク（２０）の液補充口に着脱可能に設けられたゴムキャップが露出するように嵌合することを特徴とする携帯型噴霧装置。
【請求項６】
給気手段（６）を有する給気本体（１）と、この給気本体に一体的に接続すると共に、弁支持体（１４）の先端部に設けられたノズル（１５）を封止又は開放するように前記弁支持体に設けられた制御弁（１２）及び前記ノズルに噴射孔を有する噴霧口部材（１６）を備えた噴射ヘッド（２）と、前記噴射ヘッドに外嵌合するカバー体（３）と、前記噴射ヘッド又は前記給気本体のいずれかに設けられた駆動用操作手段（４）とから成り、前記駆動用操作手段を操作すると、前記給気手段から供給される気体と前記噴射ヘッドに設けられた貯蔵タンクから供給される液体が前記噴射孔で合流する携帯型噴霧装置であって、前記カバー体（３）は第１の操作部材であり、この第１の操作部材の操作に基づき、前記噴射ヘッド（２）と前記制御弁（１２）に設けた第１作動杆と連動レバーを含む動力変換手段を介して前記制御弁（１２）が後退し、かつ前記ノズル（１５）に対する封止状態が解かれることを条件として、第２の操作部材としての前記駆動用操作手段を操作する携帯型噴霧装置。
【請求項７】
請求項６に於いて、動力変換手段は、第１作動杆と、該第１作動杆の上端部がカバー体（３）の上壁部の内面の突起状押圧部に当接するように付勢する第１付勢手段と、前記第１作動杆と制御弁とを連結する連動レバーとから成り、前記カバー体（３）を持ち上げるようスライドさせると、該カバー体（３）の前記突起状押圧部から規制が解かれた前記第１作動杆が前記第１付勢手段の付勢力により上昇し、これにより、前記動力変換手段を介して前記制御弁（１２）が後退して前記ノズル（１５）に対する封止状態が解かれることを特徴とする携帯型噴霧装置。
【請求項８】
請求項６に於いて、給気本体１には、前記動力変換手段と同時に作動する操作手段用の施・解錠手段が設けられている。
【請求項９】
請求項８に於いて、操作手段用の施・解錠手段は、第１作動杆の後端部に接続する第２作動杆と、この第２作動杆を前記第１作動杆の方向に付勢する第２付勢手段と、前記第２作動杆に連動するように略中央部が軸支され、かつ、先端部が駆動用操作手段（４）を係止する係止棒とを備え、前記第２作動杆が第２付勢手段の付勢力により上昇すると、前記係止棒が第２作動杆に連動して回転することにより、前記駆動用操作手段（４）のロック状態を解くことを特徴とする携帯型噴霧装置。
【発明の詳細な説明】
【技術分野】
【０００１】  本発明は、液体（例えば化粧水）を気体（例えば圧縮空気）の噴流に乗せて噴霧できる携帯型の噴霧装置に関する。
【背景技術】
【０００２】  特許文献１は韓国の特許公報である。この特許公報の発明の名称は「エアブラシ」である。この「エアブラシ」と称する公知発明は、液体を気体の噴流に乗せて噴霧する携帯型噴霧装置である。【０００３】  この公知発明の課題は、駆動用操作手段の操作性の向上を図ることである。すなわち、公知発明は、給気手段（６）を有する給気本体（１２）と、この給気本体の上端部に雄と雌の筒状接続部（２２、１１４）を介して一体的に接続すると共に、弁支持体（２３）の先端部に設けられたノズル（２４）を封止又は開放するように前記弁支持体に設けられたニードル弁（３０）及び前記ノズルの先に噴射孔（２７１）を有する噴霧口部材（２６）を備えた噴射ヘッド（２０）と、前記噴射ヘッドに外嵌合する上壁が非開口の保護キャップ（４０）と、前記噴射ヘッドの側壁に設けられた前記駆動用操作手段（３６）とから成る。【０００４】  そして、前記保護キャップ（４０）を前記噴射ヘッド（２０）から完全に取り外した後、前記駆動用操作手段（３６）の外端部を押すと、該ワンタッチ操作により、前記ニードル弁（３０）が垂直方向に延びるトリガー（３３）に連動するＬ形状の作動レバー（３４）を介して付勢手段（３２）の付勢力に抗して後退動し、ノズル（２４）の流出孔を開放すると同時に、前記給気手段（６）が駆動し、該給気手段（６）から供給される気体（圧縮空気）は、雄と雌の筒状接続部（２２、１１４）、弁支持体（２３）に形成した給気通路、及びオリフィス（２６２）を通過して噴霧口部材（２６）の噴射孔（２７１）に流れ込む。そして、前記噴射孔に勢い良く流れ込んだ気体は該噴射孔内で負圧状態となるので、前記ノズル（２４）の流出孔から吸引された液体（例えば化粧液）は、気体の噴流に乗せってミスト状に外部に噴霧される（符号は特許文献１のもの）。【０００５】  この特許文献１の携帯型噴霧装置は、一つの押し釦式の駆動用操作手段（３６）の内端部に垂直方向に延びるトリガー（３３）を一体的に設け、このトリガーの中途部にレバー操作用の係合突起（３３３）を設け、この係合突起に連動するＬ形状の作動レバー（３４）を介してニードル弁（３０）を後退動させると同時に、給気手段（６）を駆動させるものであるから、前述した保護キャップ（４０）は、単なる「キャップ」であり、操作部材ではない。付言すると、保護キャップ（４０）は第１の操作部材と条件（観念）付けられてはいない。【０００６】  したがって、保護キャップ（４０）を噴射ヘッド（２０）から取り外した後、誤って動用操作手段（３６）を操作すると、液体が噴射される可能性がある。また特許文献１の携帯型噴霧装置はニードル弁（３０）を後退動させる構造が複雑であるという問題点があった。さらに、保護キャップ（４０）を噴射ヘッド（２０）に嵌合させるものの、該保護キャップ（４０）自体は貯蔵タンク（２０）の補充口を塞ぐゴムキャップの複数個の吸気小孔（２８４）を完全に密閉しないので、貯蔵タンク（２０）内の液体が漏れる恐れがあった。加えて、保護キャップ（４０）を噴射ヘッド（２０）に完全嵌合させた状態で前記平坦状のゴムキャップを貯蔵タンク（２０）から取外し、液体を補充することができないという問題点があった。
【先行技術文献】
【特許文献】
【０００７】
【特許文献１】韓国特許第１０−１５３０４２４号公報（登録日：2015.06.15）
【発明の概要】
【発明が解決しようとする課題】
【０００８】  本発明は、特許文献１の問題点に鑑み、主たる課題は、第１操作部材としてのカバー体３と第２操作部材としての駆動用操作手段４とを条件（観念）付け、使用時、常に第１操作部材を上方に持ち上げない限り、第１操作部材を操作しても「液体（例えば化粧水、先顔液等）が気体（例えば圧縮空気、炭酸ガス等）の噴流に乗せてノズルから流れでないようにすることである。【０００９】  また第１実施形態では、第１操作部材と第２操作部材とを別個の部材とすることにより、動力変換部の簡略化を図り、これにより部品点数を減らし、携帯型噴射装置の内部構造を簡単にすることである。【００１０】  第２の課題は、カバー体３を噴射ヘッド２に完全に嵌め込んだとき、貯蔵タンク２０の吸気部１９から液体が漏れることはないようにすることである。さらに、カバー体３を噴射ヘッド２に完全に嵌め込んだとき、貯蔵タンク２０に液体を補充することができることである。なお、第２実施形態は第１実施形態と同様に主たる課題を図ることであり、付加的課題として、カバー体３を噴射ヘッド２に完全に嵌め込んだとき、駆動用操作手段４を操作することができないことである。【００１１】  本発明の前記ならびにそのほかの目的と新規な特徴は、次の説明を添付図面と照らし合わせて読むと、より完全に明らかになるであろう。ただし、図面はもっぱら解説のためのものであって、本発明の技術的範囲を限定するものではない。
【課題を解決するための手段】
【００１２】  本発明の携帯型噴霧装置は、給気手段（６）を有する給気本体（１）と、この給気本体に一体的に接続すると共に、弁支持体（１４）の先端部に設けられたノズル（１５）の流出孔を封止又は開放するように前記弁支持体に設けられた制御弁（１２）及び前記ノズルに噴射孔を有する噴霧口部材（１６）を備えた噴射ヘッド（２）と、前記噴射ヘッドに外嵌合するカバー体（３）と、前記噴射ヘッド又は前記給気本体のいずれかに設けられた駆動用操作手段（４）とから成り、前記駆動用操作手段を操作すると、前記給気手段から供給される気体と前記噴射ヘッドに設けられた貯蔵タンクから供給される液体が前記噴射孔で合流する携帯型噴霧装置であって、前記カバー体（３）は第１操作部材であり、この第１操作部材の操作に基づき、該カバー体（３）と前記制御弁（１２）に設けた動力変換部を介して前記制御弁（１２）が付勢手段（１７）の付勢力により後退し、かつ前記ノズル（１５）に対する封止状態が解かれることを条件として、第２の操作部材としての前記駆動用操作手段（４）を操作することを特徴する（請求項１）。【００１３】  また本発明の携帯型噴霧装置は、給気手段（６）を有する給気本体（１）と、この給気本体に一体的に接続すると共に、弁支持体（１４）の先端部に設けられたノズル（１５）を封止又は開放するように前記弁支持体に設けられた制御弁（１２）及び前記ノズルに噴射孔を有する噴霧口部材（１６）を備えた噴射ヘッド（２）と、前記噴射ヘッドに外嵌合するカバー体（３）と、前記噴射ヘッド又は前記給気本体のいずれかに設けられた駆動用操作手段（４）とから成り、前記駆動用操作手段を操作すると、前記給気手段から供給される気体と前記噴射ヘッドに設けられた貯蔵タンクから供給される液体が前記噴射孔で合流する携帯型噴霧装置であって、前記カバー体（３）は第１の操作部材であり、この第１の操作部材の操作に基づき、前記噴射ヘッド（２）と前記制御弁（１２）に設けた第１作動杆と連動レバーを含む動力変換手段を介して前記制御弁（１２）が後退し、かつ前記ノズル（１５）に対する封止状態が解かれることを条件として、第２の操作部材としての前記駆動用操作手段（４）を操作することを特徴する（請求項６）。
【発明の効果】
【００１４】（ａ）請求項１の発明は、使用時、第１操作部材と第２操作部材が条件（観念）付けられているので、液体（例えば化粧水）を無駄に噴霧しない。（ｂ）請求項２の発明は、カバー体３の内壁は、動力変換部の一部を構成する押圧部３１を有するので、特許文献１のように、トリガー、係合突起、テコ式のレバー、支軸等噴射ヘッドに内設する必要がない。したがって、部品点数が少ないと共に、噴射ヘッドの構造が簡単になる。（ｃ）請求項３の発明は、動力変換部は、カバー体３の周壁部３ａの下端部の内面から内側に突出する押圧部３１と、該押圧部に圧接する状態で摺接する制御弁１２の後端部１２ｂであるから、前記（ｂ）の効果を得ることができる。（ｄ）請求項４の発明は、カバー体３を噴射ヘッド２に完全に嵌め込んだとき、カバー体３の上壁の内面又は内面に設けた小突起のいずれかにより、貯蔵タンク２０の吸気部１９が密閉されるので、貯蔵タンクから液体が漏れるのを防止することができる。また、カバー体３を持ち上げるようにスライドさせると、貯蔵タンク２０の吸気部１９が開放するので、液体がノズルの流出孔から出ることが可能となる。（ｅ）請求項５の発明は、カバー体３の上壁部に形成した嵌合孔は、該カバー体３を噴射ヘッド２に完全に嵌め込んだとき、貯蔵タンク２０の液補充口２０ａに着脱可能に設けられたゴムキャップが露出するように嵌合するので、必要なとき、前記ゴムキャップを前記貯蔵タンクから取外し、液体を補充することができる。（ｆ）請求項６の発明は、動力変換部を動力変換手段に代えたものの、請求項１の発明と同様の効果がある。（ｇ）請求項７の発明は、動力変換手段は、第１作動杆と、該第１作動杆の上端部がカバー体３の上壁部の内面の突起状規制部に当接するように付勢する第１付勢手段と、第１作動杆と制御弁とを連結する連動レバーとから成り、カバー体３を持ち上げるようスライドさせると、該カバー体３の前記突起状規制部から規制が解かれた前記第１作動杆が第１付勢手段の付勢力により上昇し、これにより、動力変換手段を介して制御弁１２が後退してノズル１５に対する封止状態が解かれるので、請求項１の発明と同様の効果がある。（ｈ）請求項８及び請求項９の発明は、給気本体１は、第１作動杆の後端部に接続する第２作動杆と、この第２作動杆を前記第１作動杆の方向に付勢する第２付勢手段と、第２作動杆に連動するように略中央部が軸支され、かつ、先端部が駆動用操作手段４を係止する係止棒とを備え、第２作動杆が第２付勢手段の付勢力により上昇すると、係止棒が第２作動杆に連動して回転することにより、駆動用操作手段４のロック状態を解くので、カバー体３を噴射ヘッド２に完全に嵌め込んだとき、駆動用操作手段４は係止棒により係止されるので、誤操作を完全に防止することができる。
【図面の簡単な説明】
【００１５】  図１乃至図１１は本発明の第１実施形態を示す各説明図。図１２乃至図１６は本発明の第２実施形態を示す各説明図。【図１】第１実施形態の噴射ヘッドからカバー体を取り外した状態の斜視図。
【図２】図１の２−２線断面に基づく説明図。
【図３】噴射ヘッドにカバー体を完全に嵌めた状態の概略説明図。
【図４】給気本体と噴射ヘッドとの接続手段の一例を示す概略説明図、
【図５】要部（噴射口部材、ノズル、制御弁支持体、制御弁、付勢手段）の概略説明図。
【図６】液体が貯留タンクから制御弁支持体及びノズルを介して噴射口部材まで流れる概略説明図。
【図７】気体が給気手段から接続手段及び給気通路を介して噴射口部材まで流れる概略説明図。
【図８】噴射口部材に液体と気体が合流する概略説明図。
【図９】要部（付勢手段と制御弁）の斜視図。
【図１０】図２に於いて、カバー体を上方（矢印方向）に持ち上げた状態の概略説明図。
【図１１】操作手段を押したとき、噴射口部材の噴射孔から液体がミスト状に噴射される状態の概略説明図。
【図１２】第２実施形態の図２と同様の概略説明図。
【図１３】図１１に於いて、カバー体を上方（矢印方向）に持ち上げた状態の概略説明図。
【図１４】要部（動力変換手段）の概略説明図。
【図１５】要部の分解斜視図（第１作動杆側を含む動力変換手段）。
【図１６】要部の分解斜視図（第２作動杆を含む施・解錠手段）。
【符号の説明】
【００１６】Ｚ、Ｚ１…携帯型噴霧装置、１…給気本体、２…噴射ヘッド、          ３…カバー体、４…操作手段、            ５…回路基板、６…給気手段、７…電源（バッテリー）、  ８…充電用端子差込口、９…雄の接続筒部、      １１…雌の接続筒部、１２…制御弁、          １３…給気通路、１４…弁支持体、        １５…ノズル、１６…噴霧口部材、      １７…付勢手段、１８…液溜り部、        １９…吸気部、２０…貯蔵タンク、      ２１…ゴムキャップ、２２…係合溝、          ３０…垂直案内溝、３１…押圧部、          ３２…嵌合孔、３３…係合爪片、        ３４…切欠部、４１…第１作動杆、      ４４…連動レバー、４６…第１付勢手段、    ５１…第２作動杆５１、５２…第２付勢手段、    ５４…係止棒。
【発明を実施するための最良の形態】
【００１７】  携帯型噴霧装置Ｚは、片手で握ることができる大きさである。携帯型噴霧装置Ｚは金属製又は合成樹脂製である。部品の中には、シール部材が適宜に設けられている。気体ｂは圧力媒体なので、各部材は気密性を考慮して組み合わせられる。この噴霧装置Ｘは、基本的には、ケース状の給気本体１と、この給気本体１の上端部、下端部、周側部等に一体的又は取り外し可能に接続するケース状の噴射ヘッド２と、この噴射ヘッド２の全部又は一部をカバーするカバー体３とから成る。なお、実施形態では、前記噴射ヘッド２は給気本体１の上端部に接続している。【００１８】  まず給気本体１は、外端部が露出する釦式の駆動用操作手段４、この駆動用操作手段４の内端部と接続する回路基板５、この回路基板５の制御回路に電気的に接続する給気手段（エアポンプ、モータ）６、この給気手段６に電気を供給する電源（バッテリー）７、充電用端子差込口８、雄側の弾性の接続筒部９を備えている。ところで、釦式の駆動用操作手段４は、第１実施形態では給気本体１ではなく、噴射ヘッド２の下端部の適宜箇所に設けられ、該駆動用操作手段４の内端部は、例えば駆動用操作手段４を下方へ押下げることにより、回路基板５のスイッチに接触可能である。したがって、駆動用操作手段４は、好ましくは給気本体１の上端部又は噴射ヘッド２の下端部のいずれかに設けられる。また駆動用操作手段４はテコ式の操作ノブであっても良い。給気本体１の細部的事項は後述する。【００１９】  次に噴射ヘッド２は、支持フレームの一部を構成する底部の略中央部に前述した弾性接続筒部９と接続する雌又は雌の接続筒部１１、その略中央部に水平軸Ｘ方向に進退動する制御弁（例えばニードル弁）１２、この制御弁１２を支持すると共に、下部側に給気通路１３を有する弁支持体１４、この弁支持体の先端部に一体的に装着された制御弁用のノズル１５、このノズルを略包むように前記弁支持体１４に螺着し、かつ前記給気通路１３と連通すると共に前記ノズルの管状先端部の外周壁との間に横向き円錐状のオリフィス１６ｂを有する噴霧口部材１６、前記弁支持体１４の後端部に装着され、かつ前記制御弁１２の大径の後端部に圧接した状態で、該制御弁１２が前記ノズル１５に対して開放する方向に常に付勢する付勢手段（例えば圧縮バネ）１７、前記弁支持体１４の上方に設けられ、その突出下端部が該弁支持体の上部側に形成した液溜り部１８に連通すると共に、その環状の上端部に外気を取り入れる吸気部１９を有する貯蔵タンク２０、貯蔵タンクの補充口２０ａを閉じるゴムキャップ２１、その他係合溝２２を備えている。なお、噴射ヘッド２の細部的事項は後述する。【００２０】  次にカバー体３は、下端開口の周壁部３ａと、この周壁部３ａの上端に略直交して連続する環状上壁部３ｂとから成り、前記周壁部３ａの内面の下端部には内側に傾斜状に突出する押圧部３１が設けられている。前記押圧部３１の傾斜面は、実施形態ではカム面である。【００２１】  また前記環状上壁部３ｂの略中央部には、前述したゴムキャップ２１が嵌合する円形或いは多角形の嵌合孔３２が形成されている。さらに、環状の上壁部３ｂの内面の適宜箇所には支持フレームの係合溝２２と係脱する弾性の係合爪片３��が設けられている。【００２２】  上記構成に於いて、給気本体１を図示しない片手で握り、カバー体３の周壁部３ａを他方の手で垂直軸線Ｙ方向へ持ち上げるようする。そうすると、カバー体３の係合爪片３３が材質自体により弾性変位して噴射ヘッド２の係合溝２２から外れる。なお、カバー体３は上方にスライドするが、必ずしも噴射ヘッド２から外す必要はない。【００２３】  カバー体３が上方にスライドすると、制御弁１２の大径の後端部の右下がり状傾斜面（カム面）１２ｄから該カバー体３の下端部の押圧部の右下がり状対向傾斜面（対向カム面）が離れて行くので、制御弁１２は付勢手段１７の付勢力により後退する。この時、付勢手段１７は伸びる。そうすると、制御弁１２の針状先端部１２ａの外周面とノズル１５の細い管状先端部の内周面との間に隙間が生ずる。また、カバー体３の環状の上壁部３ｂが貯蔵タンク２０及びゴムキャップ２１の上面から離れるので、前記貯蔵タンク２０の吸気部１９から外気が入り込むことが可能となる。付言すると、貯蔵タンク２０の液体（例えば化粧液）ａが、該貯蔵タンク２０の下端部から弁支持体１４の上部側の液溜り部１８及び弁支持体１４の給気通路１３、噴霧口部材１６の後端部に形成した横向き円錐状のオリフィスを介してノズル１５の細い管状先端部から流出可能となる。【００２４】  そこで、駆動用操作手段４の外端部を押し下げる（実施形態）。そうすると、その内端部が回路基板５の接点に直接又はトリガーを介して間接的に接触し、スイッチが「ＯＮ」となる。スイッチが「ＯＮ」となると、給気手段６が駆動する。給気手段６から圧送される気体（圧縮空気）ｂは、雄・雌の接続筒部９，１１、給気通路１３（縦方向の給気路１３ａ、横方向の連通路１３ｂ）を介してオリフィスへと流れる。そして、気体ｂがオリフィス１６ｂの先端部の狭い噴出孔から噴霧口部材１６の先端部の大径の噴射孔１６ａに勢い良く流れ込むと、該気体ｂは負圧状態となるので、ノズル１５の細い管状先端部内の液体ａは前記噴射孔１６ａへと吸引される。吸引された液体ａは、前記気体ｂと合流して前記噴射孔１６ａからミスト状態ｃで噴射される。この噴射は駆動用操作手段４の外端部を押し続けている間続く。駆動用操作手段４から指を離すと、スイッチが「ＯＦＦ」となり、給気手段６の駆動が停止する。【００２５】  上記構成に於いて、カバー体３を押下げると、該カバー体３の押圧部３１の対向傾斜面が制御弁１２の後端部の傾斜面１２ｄを摺動しながら押圧する。この時、前記押圧部３１の反力により制御弁１２が前進する。また付勢手段１７の一端部（先端部）は、弁支持体１４の後端部に形成されたフランジ部に支持されているので、圧縮状態となる。そして、カバー体３を手で完全に押下げると、カバー体３の係合爪片３３は弾性変位した後に弾性復帰し、噴射ヘッド２の係合溝２２に係合する。【００２６】  カバー体３が噴射ヘッド２に完全に嵌合すると、押圧部３１で押された制御弁１２は付勢手段１７の付勢力に抗して弁支持体１４の内部をＸ軸線方向に前進するので、針状先端部は、ノズル１５の細い管状先端部の流出孔を貫通状態に閉じる。【００２７】  また、カバー体３の上壁部３ｂの中心部の嵌合孔３２がゴムキャップ��１の平坦状フランジに遊嵌合すると共に、前記上壁部３ｂの内面に突設した小突起が貯蔵タンク２０の吸気部１９の上端部に略整合（係合する。その結果、吸気部１９は小突起３ｄに封鎖される。【００２８】  この実施形態では、カバー体３をＹ軸線方向に持ち上げると、カバー体３と制御弁１２に設けた動力変換部（例えばカバー体３の押圧部３１と制御弁１２の後端部）を介して、制御弁１２が付勢手段１７の付勢力によりＸ軸線方向に後退して、ノズル１５に対する封止状態が解かれると同時に、貯蔵タンク２０の吸気部１９も物理的に開放するので、液体がノズル１５から流出可能となる。この時、少なくともカバー体３の係合爪片３３が噴射ヘッド２の係合溝２２から外れることが条件である。この条件を満たさないと、操作手段４を操作しても、気体ｂが噴射されるだけである（液体ａは噴射されない）。【００２９】  また、カバー体３の上壁部３ｂと貯蔵タンク２０のゴムキャップ２１との距離が物理的に長くなるので、制御弁１２の開放時、前記ゴムキャップ２１を外すことが出来なくなる。一方、前述したように、カバー体３を噴射ヘッド２から完全に外さなくても、駆動用操作手段４の操作が可能となるので、操作部材４の操作を直ぐに開始することができる。【００３０】  液体ａが気体ｂに乗ってミスト状に噴流しているとき、操作部材４から指を離すと、復帰バネ１０の復帰力により、該操作手段４は元の位置へと復帰（上昇）する。そうすると、前記噴流は直ちに停止する。そこで、カバー体３を完全に押下げ、該カバー体３の係合爪片３３と噴射ヘッド２の係合溝２２とが係合すると、動力変換部３１、１２ｃを介して制御弁１２はノズル１５の流出孔を封止すると同時に、該カバー体３は貯蔵タンク２０の吸気部１９を小突起３ｄ（実施形態）で封止する。これによりノズル１５の流出孔１５ａ及び貯蔵タンク２０の吸気部１９から液体が完全に漏れることはない。【００３１】  したがって、第１実施形態の携帯型噴霧装置Ｚは、給気手段６を有する給気本体１と、この給気本体の上端部に一体的に接続すると共に、弁支持体１４の先端部に設けられたノズル１５の流出孔１５ａを封止又は開放するように弁支持体１４に設けられた制御弁１２及びノズルに噴射孔を有する噴霧口部材１６を備えた噴射ヘッド２と、噴射ヘッド２に外嵌合するカバー体３と、噴射ヘッド２に設けられた（本実施形態）駆動用操作手段４とから成る。【００３２】  そして、使用時、第１操作部材のカバー体３と第２操作部材の駆動用操作手段４は条件（観念）付けられているので、誤って駆動用操作手段４を操作しても、液体（例えば化粧水）ａが噴霧されることはない。それ故に、液体ａを無駄に噴霧しない。そして、カバー体３を持ち上げるようスライドさせると、このカバー体３と制御弁１２に設けた動力変換部を介して、制御弁１２が付勢手段１７の付勢力により後退する。その結果、ノズル１５に対する封止状態が解かれると同時に、噴射ヘッド２に設けた貯蔵タンク２０の吸気部１９も物理的に開放する。【００３３】  次に図１乃至図１１を参照にして、第１実施形態の各部材の細部的事項を説明する。細部的事項は簡単に説明し、また不番の部材や部位がある。なお、先端部の用語は噴射孔１６��が見える側である。したがって、後端部の用語は噴射孔１６ａとは反対側である。まず、図１の左側に給気本体１が示されている。この給気本体１の外壁は、携帯型噴霧装置Ｚの下部ケース２４である。この下部ケース２４は、円筒状の周壁２４ａと、円形の底壁２４ｂと、上壁２４ｃを有する。前記上壁２４ｃは、雄接続筒部９用の大きい貫通孔２５とトリガー２６用の小さい貫通孔２７を有する。前記トリガー２６は操作手段４の内端部に一体的に接続している。下部ケース２４の内部には、電源７及び給気手段６を収納する空間、回路基板５を支持する支持板、雄又は雌の接続筒部９を支持する支持部等がある。これらの符号は省略する。さらに、円形の底壁２４ｂの全部又は一部が係脱可能な図面も簡略する。また充電用端子差込口８の説明も省略する。【００３４】  次に、図１の給気本体１の上端部には、脱着可能な噴射ヘッド２が取付けられている。この噴射ヘッド２外壁は、携帯型噴霧装置Ｚの上部ケース２８である。この上部ケース２８は、短筒状の周壁２８ａと、円形の底壁２８ｂと、環状の上壁２８ｃを有する。前記周壁２８ａ先端部（手前側）からは、噴霧口部材１６の先端部の噴射孔１６ａが見える。したがって、周壁２８ａには噴射孔１６ａ用の開口が形成されている。【００３５】  一方、周壁２８ａの後端部（向う側）には釦式の駆動用操作手段４が上下方向にスライドできるように設けられている。前記環状の上壁２８ｃの後端部には係合溝２２が形成されている。また環状の上壁２８ｃの内側には摺り鉢形状の受け面を有する貯蔵タンク２０用の収納部２９が設けられている。【００３６】  さらに、上部ケース２８の後端部には、環状の上壁２８ｃの上端面から円形の底壁２８ｂの後端部の内面に至る垂直案内溝３０が形成されている。この垂直案内溝３０には、カバー体３の垂直片状の係合部分３ｃが係合する。またこの垂直案内溝３０はトリガー２６用の小さい貫通孔２７と連通している。【００３７】  次に、図１の噴射ヘッド２の上方には、液体ａを充填した貯蔵タンク２０とゴムキャップ２１が示されている。貯蔵タンク２０の形状は任意に設計変更できる事項である。貯蔵タンク２０の上壁には吸気部（例えば摺り鉢形の孔）１９と補充口２０ａが形成されている。この補充口２０ａにはフランジ部２１ａの一部に舌片２１ｂを有するゴムキャップ２１が密に嵌合する。貯蔵タンク２０の突出下端部は、シールされた状態で弁支持体１４の液溜り部１８に嵌入する。【００３８】  次に、カバー体３を説明する。カバー体３はキャップ状に形成されている。しかし、完全な周壁や上壁を有するキャップではなく、本実施形態では、前述したように周壁部３ａの先端部の下端部に切欠部３４を有する。また該周壁部３ａの後端部には、下端部の内側に爪状に突出する押圧部３１を有する垂直片状の係合部分３ｃが設けられている。前記押圧部３１の押圧面は傾斜状に形成され、制御弁１２の後端部２ｃの対向傾斜面１２ｄに対して反力を与える。また上壁部３ｂの中央部（中央部寄りの部位も含まれる）には嵌合孔３２が形成されている。さらに、前記上壁部３ｂの内面の前記垂直片状の係合部分３ｃの付近には、噴射ヘッド２の係合溝２２と係脱する弾性の係合爪片３３が設けられ���いる。その他の細部的事項の説明は割愛する。【００３９】  次に図２は、図１の２−２線断面に基づくカバー体３の説明図である。カバー体３を横断面で見ると、陸上のトラック形状に形成されている。この横断面は円形又は多角形であっても良い。カバー体３の先端部の下端部には、仮想線で示す切欠部３４が形成されている。一方、カバー体３の後端部の略中央部の内壁面には垂直片状の係合部分３ｃが形成され、この係合部分３ｃは前述の垂直案内溝３０と係合する。そして、前記係合部分３ｃの下端部には傾斜面或いは突起を有する押圧部３１が設けられている。【００４０】  次に図９は、付勢手段１７と制御弁１２の斜視図である。制御弁１２は、好ましくはニードル弁を用いている。この制御弁１２は、先端部１ａが針先状に形成され、その後端部は横向き凹所の内壁面の中央部に設けられた筒状の支持部１２ｂに一体的に取付けられている。前記横向き凹所には弁本体１４の後端部が嵌入する。前記ケース状後端部１２ｃの後端は傾斜状の受け面１２ｄである。付勢手段１７の先端部１７ａは弁支持体１４の環状受け面に圧接する。一方、付勢手段１７の後端部１７ｂは前記後端部１２ｃの先端面に圧接する。  
【実施例】
【００４１】  ここでは、図１２乃至図１６を参照にして、本発明の第２実施形態を説明する。なお、この第２実施形態の説明に当って、第１実施形態と同一の部分には同一の符号を付して重複する説明を割愛する。【００４２】  第２実施形態の主たる課題は、第１実施形態と同様に、第１操作部材としてのカバー体３と第２操作部材としての駆動用操作手段４とを条件（観念）付け、使用時、常に第１操作部材４を上方に持ち上げない限り、第１操作部材４を操作しても、液体ａ（例えば化粧水）が気体ｂ（例えば圧縮空気）の噴流に乗ってノズル１５から流れでないことである。しかしながら、第１実施形態と同様に部品点数を減らして内部構造を「簡単」にするものではない。また第２実施形態の付加的課題は、カバー体３を噴射ヘッド２に完全に嵌め込んだとき、駆動用操作手段４を操作することができないようにすることである。【００４３】  さて、第２実施形態の主に異なる点は、次の通りである。（ａ）駆動用操作手段４が給気本体１の先端部の上端部に設けられている点、（ｂ）駆動用操作手段４は押下げ方式ではなく、プッシュ方式である点、（ｃ）カバー体３の上壁部３ｂの内面に突起状押圧部３１を設けた点、（ｄ）動力変換部が第１作動杆４１と連動レバー４２を含む動力変換手段である点、（ｅ）前記第１作動杆４１は噴射ヘッド２の後端部側の内部に形成された垂直案内溝に案内される所定長の垂直杆である点、（ｆ）連動レバー４２は、アングル形状であり、例えば短いテコ杆４２ａと、この短いテコ杆４２ａに対して所定角度開いた長いテコ杆４２ｂとから成り、中心部が支軸４４に軸支されている点、（ｇ）前記短いテコ杆４２ａの下端部は案内長孔４３を有し、この案内長孔４３は連結ピン４５を介して制御弁（ニードル弁）１２のフランジ状支持部１２ｂと連係している点、（ｈ）第１作動杆４１は、大径の上端部と小径の下端部とを有し、前記小径の下端部に第１付勢手段４６が巻装されている点、（ｉ）第１付勢手段４６は第１作動杆４１を常に上方に付勢する圧縮バネである点、（ｊ）そして、前記第１作動杆４１の大径の上端部の中央部或いは下端部寄りの部位には、前記連動レバー４２のテコ杆４２ａと係合する突起状の係合部（例えば係合ピン）４７が設けられている点である。【００４４】  したがって、動力変換手段は、突起状の係合部４７を有する垂直棒状の第１作動杆４１と、一方のテコ杆４２ｂが前記係合部４７と係合し、他方のテコ杆４２ａが制御弁１２の連結ピン４５と連係する連動レバー４２とから成る。一方、給気本体１には、前記動力変換手段と同時に作動する操作手段用の施・解錠手段が設けられている。そこで、動力変換手段に連動する施・解錠手段の主な構成を列挙する。 【００４５】  すなわち、（１）給気本体１の後端部側の内部には、第１作動杆４１の後端部に接続する第２作動杆５１が上下方向に設けられている。この第２作動杆５１は、上端部に第１作動杆４１の小径の後端部が遊嵌合する接続支持部を有する所定長の垂直杆である。この第２作動杆５１は第１作動杆と同様に図示しない垂直案内溝に案内される。（２）第２作動杆５１は、大径の上端部と小径の下端部とを有し、前記小径の下端部に第２付勢手段５２が巻装されている���この第２付勢手段５２は第２作動杆５１を常に上方に付勢する圧縮バネである。そして、前記小径の下端部には、係止棒５４の後端部に設けた案内長孔５４ａと係合する連結ピン５５が設けられている。（３）そして、第２作動杆５１の小径の下端部は、前記係止棒５４の略中央部は、給気手段６の上端部側に設けられた支軸５３に軸支され、かつ、その先端部５４ｂが駆動用操作手段４と係脱する。そして、前述した第２作動杆５１の小径部の下端を支持する支持部５６ａを有するパイプ状支持杆５６が第２作動杆５１に対して設けられている。【００４６】  したがって、第２実施形態の携帯型噴霧装置Ｚ１は、給気手段６を有する給気本体１と、この給気本体の上端部に一体的に接続すると共に、弁支持体１４の先端部に設けられたノズル１５を封止又は開放するように前記弁支持体に設けられた制御弁１２及び前記ノズルに噴射孔を有する噴霧口部材１６を備えた噴射ヘッド２と、前記噴射ヘッドに外嵌合するカバー体３と、前記噴射ヘッド又は前記給気本体のいずれかに設けられた駆動用操作手段４とから成り、前記駆動用操作手段を操作すると、前記給気手段から供給される気体と前記噴射ヘッドに設けられた貯蔵タンクから供給される液体が前記噴射孔で合流する携帯型噴霧装置であって、前記カバー体３は第１の操作部材４であり、この第１の操作部材４の操作に基づき、前記噴射ヘッド２と前記制御弁１２に設けた第１作動杆４１と連動レバー４４を含む動力変換手段を介して前記制御弁１２が後退し、かつ前記ノズル１５に対する封止状態が解かれることを条件として、第２の操作部材としての前記駆動用操作手段（４）を操作する。【００４７】  付言すると、前記動力変換手段は、第１作動杆４１と、該第１作動杆の上端部がカバー体３の上壁部の内面の突起状押圧部３１に当接するように付勢する第１付勢手段４６と、前記第１作動杆と制御弁とを連結する連動レバー４４とから成る。そして、前記カバー体３を持ち上げるようスライドさせると、該カバー体３の前記突起状押圧部３１から規制が解かれた前記第１作動杆４１が前記第１付勢手段４６の付勢力により上昇する。その結果、前記動力変換手段を介して前記制御弁１２が後退して前記ノズル１５に対する封止状態が解かれる。【００４８】  さらに、給気本体１は、前記動力変換手段と同時に作動する操作手段用の施・解錠手段を備えている。この操作手段用の施・解錠手段は、第１作動杆４１の後端部に接続する第２作動杆５１と、この第２作動杆５１を前記第１作動杆４１の方向に付勢する第２付勢手段５２と、前記第２作動杆５１に連動するように略中央部が軸支され、かつ、先端部が駆動用操作手段４を係止する係止棒５４とを備えている。そして、前記第２作動杆５１が第２付勢手段５２の付勢力により上昇すると、前記係止棒５４が第２作動杆５１に連動して回転することにより、駆動用操作手段４のロック状態を解く。
【産業上の利用可能性】
【００４９】  本発明は、人体の肌を綺麗にするための美容器具として使用される。
【図１】
2017064743.tif 000003
【図２】
2017064743.tif 000004
【図３】
2017064743.tif 000005
【図４】
2017064743.tif 000006
【図５】
2017064743.tif 000007
【図６】
2017064743.tif 000008
【図７】
2017064743.tif 000009
【図８】
2017064743.tif 000010
【図９】
2017064743.tif 000011
【図１０】
2017064743.tif 000012
【図１１】
2017064743.tif 000013
【図１２】
2017064743.tif 000014
【図１３】
2017064743.tif 000015
【図１４】
2017064743.tif 000016
【図１５】
2017064743.tif 000017
【図１６】
2017064743.tif 000018
【国際調査報告】
2017064743.tif 000019
2017064743.tif 000020
2017064743.tif 000021
2017064743.tif 000022